(57)【要約】【課題】コーキング材の充填や補修の各作業を効率よく行うことができる見栄えのよい庇を提供する。【解決手段】庇１は、庇板２と、建物の外壁の下地ｗ上に固定され庇板２の後端部を保持する保持具３と、保持具３上に被せられ前端部が庇板２の後端部上に支持され後端部が建物の外壁の下地ｗ上にねじ止めされる上部カバー５とを有する。上部カバー５の後端部は建物の外壁の下地ｗを覆う外壁材Ｘの背後に位置している。上部カバー５の上面と外壁材Ｘの下端面との間の、前面が開放された隙間ｓにコーキング材５９ｂが充填される。【選択図】図２
2019210613.tif 000002
【特許請求の範囲】
【請求項１】
庇板と、建物の外壁の下地上に固定され前記庇板の後端部を保持する保持具と、前記保持具上に被せられ前端部が前記庇板の後端部上に支持され後端部が建物の外壁の下地にねじ止めされる上部カバーとを有し、前記上部カバーの後端部は建物の外壁の下地を覆う外壁材の背後に位置しており、前記上部カバーの上面と前記外壁材の下端面との間の、前面が開放された隙間にコーキング材が充填される庇。
【請求項２】
前記上部カバーは、前側へ低く傾斜する傾斜部を有し、前記傾斜部の後部上に前記隙間が位置する請求項１に記載の庇。
【請求項３】
前記上部カバーは、前記傾斜部の後部が傾斜部の傾斜より緩い傾斜になっている請求項２に記載の庇。
【請求項４】
前記上部カバーは、前記傾斜部を含む第１カバー部と、前記傾斜部の後部を含む第２カバー部とが分離可能な接続部を介して接続されている請求項２または３に記載の庇。
【請求項５】
前記接続部は、前記第２カバー部の前端部に備えられた凹溝内に前記第１カバー部の後端部が係入されるものである請求項４に記載の庇。
【請求項６】
前記上部カバーは、後端部に帯板状の後縁部を備え、前記後縁部が建物の外壁の下地上に重ねられてねじ止めされる請求項１に記載の庇。
【発明の詳細な説明】
【技術分野】
【０００１】
この発明は、庇板が前方へ張り出すように建物の外壁に設置される防水構造を備える庇に関する。
【背景技術】
【０００２】
従来、その種の庇として、図８に示すように、建物の外壁に取り付けられた保持具１００により庇板１０１の後端部が全幅にわたって保持された構造のものがある（例えば特許文献１参照）。建物の外壁は、外装パネルのような外壁材により覆われ、その外壁材の表面ｕに保持具１００が固定される。
【０００３】
保持具１００は、背板部１０３と上下一対の保持板部１０４，１０５とを一体に有し、上側の保持板部１０４と下側の保持板部１０５との間に庇板１０１の後端部が差し込まれる。庇板１０１の後端面は背板部１０３の前面に突き当たり、この状態で庇板１０１の後端部が上下の保持板部１０４，０５間に挟まれた状態でボルト１０６およびナット１０７により固定される。
【０００４】
保持具１００には、上部カバー１０８と下部カバー１１１とが上下から被せられる。上部カバー１０８の前端部は庇板１０１の上面に支持され、後端部は背板部１０３の上端縁に係合される。上部カバー１０８の前端部と庇板１０１の後端部との間および上部カバー１０８の後端部と外壁材の表面ｕとの間にコーキング材１０９，１１０が充填される。
【０００５】
建物の外壁に庇を設置するには、建物の外壁の下地上に外壁材を施工した後、保持具１００を複数のボルト１０２により外壁材の表面ｕに取り付ける。次に、保持具１００の上下の保持板部１０４，１０５間に庇板１０１の後端部を差し込み、ボルト１０６、ナット１０７で締め付けて固定した後、上部カバー１０８および下部カバー１１１を装着する。
上記の組立作業が完了した後、上部カバー１０８の前端部と庇板１０１の後端部との間および上部カバー１０８の後端部と外壁材の表面ｕとの間にコーキング材１０９，１１０をそれぞれ充填する。
【先行技術文献】
【特許文献】
【０００６】
【特許文献１】特開２０１５−６８０６４号公報
【発明の概要】
【発明が解決しようとする課題】
【０００７】
コーキング材１０９，１１０の充填作業は、高所での作業であり、特に、上部カバー１０８の後端部と外壁材の表面ｕとの間にコーキング材１１０を充填する場合、充填作業は上方からの作業となり、作業効率が悪い。また、充填されたコーキング材１１０は、直接雨水に晒され、劣化が早いため、劣化により雨水が上部カバー１０８内に浸入して保持具１００の下方へ流下する。また、劣化がある度に、頻繁に補修する必要があり、そのうえ補修作業も上方からの作業となり、作業性が著しく悪い。また、外壁材の表面ｕに保持具１００を取り付けるため、外壁材の表面ｕから保持具１００や上部カバー１０８が大きく出っ張り、庇全体の見栄えを低下させる。
【０００８】
この発明は、上記の問題に着目してなされたもので、コーキング材の充填や補修の各作業を効率よく行うことができ、また、保持具や上部カバーが外壁材の表面から大きく出っ張らない見栄えのよい庇を提供することを目的とする。
【課題を解決するための手段】
【０００９】
この発明による庇は、庇板と、建物の外壁の下地上に固定され庇板の後端部を保持する保持具と、保持具上に被せられ前端部が庇板の後端部上に支持され後端部が建物の外壁の下地にねじ止めされる上部カバーとを有する。上部カバーの後端部は建物の外壁の下地を覆う外壁材の背後に位置している。上部カバーの上面と外壁材の下端面との間の、前面が開放された隙間にコーキング材が充填される。
【００１０】
上記した構成の庇を建物に設置するには、建物の外壁の下地上に保持具を取り付けた後、保持具に庇板の後端部を保持させ、保持具上に上部カバーを被せる。上部カバーは前端部が庇板の後端部上に支持され、後端部が建物の外壁の下地にねじ止めされて固定される。上部カバーの後端部上に建物の外壁の下地を覆う外壁材が重ねられる。上部カバーの上面と外壁材の下端面との間の隙間は前面が開放されており、その開放部分より隙間にコーキング材を充填する。隙間へのコーキング材の充填作業、さらには劣化したコーキング材の補修作業は前方からの作業となるので効率よく行える。保持具および上部カバーは外壁材に半ば埋もれた状態となり、外壁材の表面より大きく出っ張らないので、見栄えのよい庇となる。
【００１１】
好ましい実施態様の上部カバーは、前側へ低く傾斜する傾斜部を有し、傾斜部の後部上に隙間が位置する。
【００１２】
上部カバーは、傾斜部の後部が傾斜部の傾斜より緩い傾斜になっていることが望ましい。また、上部カバーは、傾斜部を含む第１カバー部と、傾斜部の後部を含む第２カバー部とが分離可能な接続部を介して接続されるのが望ましく、第１カバー部を接続部において第２カバー部より分離することで、庇板の修理や交換等が容易に行える。
【００１３】
接続部は、種々の態様のものが考えられるが、分離作業を容易にするために、第２カバー部の前端部に備えられた凹溝内に第１カバー部の後端部が係入される構成のものが望ましい。
【００１４】
上部カバーは、好ましくは後端部に、帯板状の後縁部を備え、後縁部が建物の外壁の下地上に重ねられてねじ止めされる。この実施態様によると、コーキング材が劣化しても上部カバーの後端部より上部カバーの内部に雨水が浸入することはない。
【発明の効果】
【００１５】
この発明によると、コーキング材の充填や補修の各作業は前方からの作業となるので、効率よく行える。また、保持具や上部カバーは外壁材に半ば埋もれた状態となり、外装材の表面から大きく出っ張らないので、見栄えのよい庇が得られる。
【図面の簡単な説明】
【００１６】
【図１】一実施態様の庇の外観を示す斜視図である。
【図２】図１の一実施態様の庇の構成を示す断面図である。
【図３】庇板を前方から見た端面図である。
【図４】保持具に庇板が組み付けられる状態を示す斜視図である。
【図５】保持具に庇板が組み付けられる状態を示す断面図である。
【図６】他の実施態様の庇の構成を示す断面図である。
【図７】他の実施態様の庇の構成を示す断面図である。
【図８】従来の庇の構成を示す断面図である。
【発明を実施するための形態】
【００１７】
図１は一実施態様の庇の外観を、図２はその庇の構造を、それぞれ示す。
図示の庇１は、建物の外壁から張り出すように設置されるもので、庇板２と、建物の外壁に固着され庇板２の後端部を全幅にわたって保持する保持具３と、庇板２の前端縁に全幅にわたって装着される前縁板４と、保持具３上に被せられる上部カバー５と、保持具３に下方より被せられる下部カバー６とを含む。庇板２、保持具３、前縁板４、上部カバー５、および下部カバー６を構成する材料にはアルミニウムの押出型材が用いられる。図１において、１０は保持具３の両端の開放部分を塞ぐ端板である。なお、以下の説明において、庇板２が建物の外壁から張り出す方向を「前後方向」、前後方向および上下方向と直交する方向を「幅方向」という。
【００１８】
庇１は、庇板２がわずかに前側へ低く傾いた前下がり状態で保持具３により庇板２の後端部が保持されている。なお、建物の外壁からの張出し量や幅が大きな庇については、必要に応じて、庇板２の少なくとも１箇所をサポートポールにより支持するのが望ましい。また、庇板２は後側へ低く傾いた後下がり状態で庇板２の後端部を保持するようにしてもよい。
【００１９】
庇板２は、図１および図３に示すように、側端面を互いに付き合わせて幅方向に連結される複数の中間板材２１と、両側位置の中間板材２１の外側端面にそれぞれ連結される側板材２２，２２とで構成される。各中間板材２１は両側端面に第１、第２の各係合片２３，２４を備える。各側板材２２は内側端面に中間板材２１の第１の係合片２３と係合する第２の係合片２４、または中間板材２１の第２の係合片２４と係合する第１の係合片２３のいずれかを備える。第１、第２の各係合片２３，２４は、隣合う板材の一方を他方に対して前後方向へ摺動させることにより係合するもので、図４には中間板材２１を矢印ｑで示す前後方向へ摺動させる状態が示されている。
【００２０】
各中間板材２１の内部には、補強のためのリブ２６が一体形成され、さらに、各リブ２６の位置に補強板２５が設けられている。なお、庇板２は、種々の態様のものがあり、複数の中空の板材を連結した図３に示す構成態様のものに限らず、例えば全体が一枚構成のものであってもよい。
【００２１】
保持具３は、建物の外壁の下地ｗに背面を密接させて複数のアンカーボルト８により固定される背板部３１と、背板部３１の前面より突出し庇板２の後端部を上下から挟んで保持する一対の保持板部３２，３３とを有する。上側の保持板部３２と下側の保持板部３３とは互いに平行であり、上下に対向している。上側の保持板部３２と下側の保持板部３３との間は、庇板２を構成する各中間板材２１および各側板材２２の後端部が挿入される溝３４を構成する。上下の保持板部３２，３３は背板部３１に一体に形成されており、上下方向へわずかな可撓性を有し、後述するボルト９およびナット９２による上下方向の締め付け力が作用したとき、溝３４が閉じる方向へわずかに撓むようにその厚みや突出長さが設定されている。
【００２２】
溝３４は、図４に示すように、庇板２を構成する各板材２１，２２の後端部を前方より差し込むことが可能な溝幅を有し、前面が全長にわたって開放されている。上側の保持板部３２は、図５に示すように、わずかに上開きであり、下側の保持板部３３はわずかに下開きである。溝３４の溝底での溝幅ｄ２は各板材２１，２２の後端部の厚みとほぼ一致しており、溝３４の溝開口部での溝幅ｄ１は、ｄ１＞ｄ２である。
【００２３】
背板部３１および上下の保持板部３２，３３は、庇板２の全幅に対応する長さを有する。背板部３１には、上下の保持板部３２，３３間の位置に、アンカーボルト８が挿入されるボルト挿通孔３５が一定間隔毎に横一列に設けられている。図２において、８２はアンカーボルト８の頭部８０と背板部３１との間に介在させる座金である。
【００２４】
上下の保持板部３２，３３の複数の対向する位置には、図２および図４に示されるように、貫通するボルト通し孔３６，３７がそれぞれ設けられる。庇板２の後端部の各ボルト通し孔３６，３７に対応する位置にはボルト貫通孔２７が設けられる。各ボルト通し孔３６，３７とボルト貫通孔２７とは上下に連通し、これらの孔に一連に通されたボルト９の軸部９１にナット９２がねじ込まれることにより庇板２の後端部は上下の保持板部３２，３３間に挟着されて固定される。
【００２５】
ボルト９は、上側の保持板部３２の上方より軸部９１がボルト通し孔３６へ挿入され、中間板材２１または側板材２２のボルト貫通孔２７および下側の保持板部３３のボルト通し孔３７を一連に貫通する。ボルト９の頭部９０は上側の保持板部３２の上面に支持される。ボルトの軸部９１は下側の保持板部３３のボルト通し孔３７より下方へ突出し、ナット９２がねじ込まれる。図２において、９３はボルトの頭部９０と上側の保持板部３２との間に介在させる座金、９４はナット９２と下側の保持板部３３との間に介在させる座金である。
【００２６】
なお、ボルト９は、下側の保持板部３３の下方より軸部９１をボルト通し孔３７へ挿入してもよい。この場合、ボルト９の頭部９０は下側の保持板部３３の下面に支持され、軸部９１は上側の保持板部３２のボルト通し孔３６より上方へ突出し、ナット９２がねじ込まれる。
【００２７】
上側の保持板部３２と庇板２の後端部との間には、帯板状のシール材７が庇板２の全幅にわたって設けられる。シール材７は、ボルト９に対するナット９２の締め付けによって上側の保持板材３２が下方に撓むので、上側の保持板部３２の下面と庇板２の後端部の上面とに密接する。これによって、シール材７は、ボルト通し孔３６の前側の位置で、上側の保持板部３２と庇板２の後端部との間を止水する。
【００２８】
シール材７は、全長にわたって同一幅、同一厚みを有しており、上側の保持板部３２の下面に形成された一定深さの凹溝３８内に嵌まった状態で定位する。凹溝３８は庇板２の全幅にわたり、前端面および両側端面が開放されている。シール材７は、凹溝３８の溝底に接着剤により貼設されるが、接着は必ずしも必要ではない。なお、シール材７を凹溝３８の溝底に接着するのに、表裏両面に粘着層を有する粘着テープを用いるとよい。
【００２９】
シール材７として、天然ゴム、シリコンゴムのような合成ゴムなど、弾性を有するものが好適であるが、止水が可能であれば、弾性を有するものに限定されず、例えば植物繊維や皮革などを用いてもよい。シール材７が弾性を有する場合、シール材７の厚みを凹溝３８の溝深さよりわずかに大きく設定することにより、ボルト９に対するナット９２の締め付けによりシール材７が溝深さに対応する厚みにまで圧縮変形するので、水密性が高められる。
【００３０】
保持具３の背板部３１の上端部には、斜め上方へ突出する第１の係合突起３２ａが、下側の保持板部３３の下面には下方へ突出する第２の係合突起３２ｂが、それぞれ全幅にわたり一体に形成されている。第１の係合突起３２ａには上部カバー５の下面に下向きに突設された突片５０が係合する。第２の係合突起３２ｂには下部カバー６の後端縁が係合する。下部カバー６の前端縁は下側の保持板部３３の前端縁に係合する。
【００３１】
上部カバー５の前端部には、庇板２の後端部の上面に全幅にわたって突き当てられ複数箇所がねじ止めされる第１の固定部５１が設けられる。上部カバー５の後端部には建物の外壁の下地ｗに突き当てられ複数箇所がねじ止めされる第２の固定部５２が設けられる。
【００３２】
第１の固定部５１は、上部カバー５の前端部に屈曲形成された帯板状の前縁部５３を有し、前縁部５３に複数個の孔５３ａが幅方向へ一定間隔で形成されたものである。各孔５３ａにねじ５４が通され、庇板２の後端部にねじ込まれることにより上部カバー５の前端部が庇板２の後端部の上面に固定される。前縁部５３の下面には、凹溝５５が全幅にわたって形成され、凹溝５５に帯板状の第２のシール材５６が嵌め込まれて止水される。
【００３３】
第２の固定部５２は、上部カバー５の後端部に屈曲形成された帯板状の後縁部５７を有し、後縁部５７に複数個の孔５７ａが幅方向へ一定間隔で形成されたものである。後縁部５７は長さＬが５０ｍｍ程度のものであり、建物の外壁の下地ｗ上であって外壁材Ｘの背後に位置している。各孔５７ａに皿状のねじ５８が通され、外壁の下地ｗにねじ込まれることにより上部カバー５の後端部が外壁の下地ｗに固定される。
【００３４】
上部カバー５は、第１の固定部５１と第２の固定部５２との間が前側へ低く傾斜し湾曲する傾斜部５０ａになっている。傾斜部５０ａは後部に平坦な面よりなる第２の傾斜部５０ｂを含んでいる。第２の傾斜部５０ｂの傾斜は傾斜部５０ａの傾斜より緩い傾斜になっている。第２の傾斜部５０ｂの前端は屈曲部５０ｃを介して傾斜部５０ａに連なっている。
【００３５】
第２の傾斜部５０ｂの平坦な上面と外壁材Ｘの下端面との間に隙間ｓが介在する。隙間ｓは前面が開放されており、隙間ｓ内には後部側に緩衝材としての弾性材５９ａが嵌められている。隙間ｓの前部側には、コーキングガンなどを用いてコーキング材５９ｂが充填される。コーキング材５９ｂには、アクリル系、変成シリコン系、ウレタン系など、種々のものがあり、最適なものが適宜選択される。コーキング材５９ｂは、隙間ｓを埋めて防水性を得る目的に加えて、地震の揺れ等に対して緩衝材として機能させ上部カバー５の欠損を防ぐ。なお、建物の外壁の下地ｗ上に施工される外壁材Ｘとして、サイディング、タイル、レンガ、ＡＬＣなどがある。
【００３６】
図６は、庇１の他の実施態様を示す。この実施態様では、上部カバー５は、傾斜部５０ａの第２の傾斜部５０ｂを除く部分を含む第１カバー部５Ａと、第２の傾斜部５０ｂを含む第２カバー部５Ｂとが分離可能な接続部５Ｃを介して接続されている。
接続部５Ｃは、第２カバー部５Ｂの前端部に下向きに屈曲させて形成された二股状の係合凹部５０ｄと、第１カバー部５Ａの後端部であって係合凹部５０ｄの凹溝５０ｅに係入される係合縁部５０ｆと、凹溝５０ｅの溝底部に配備されたシール材５０ｇとを含む。係合縁部５０ｆは係合凹部５０ｄの凹溝５０ｅ内に挿入され、先端がシール材５０ｇに突き当たることにより第１カバー部５Ａと第２カバー部５Ｂとの間が水密状態となる。
【００３７】
図７は、庇１のさらに他の実施態様を示す。この実施態様は、接続部５Ｃの分離可能な構成が図６の実施態様と異なっている。
この実施形態の接続部５Ｃは、第２カバー部５Ｂの前端部より斜め下方へ突出する突縁５０ｈと、第２カバー部５Ｂの前端部の下面に一体形成されたねじ挿入部５０ｉとを含んでおり、突縁５０ｈとねじ挿入部５０ｉとの間に形成される凹溝５０ｅに第１カバー部５Ａの後端部の係合縁部５０ｆを挿入させて係止させるものである。
【００３８】
図６および図７に示す各実施態様において、上部カバー５の他の構成、および保持具３、庇板２などの各構成は、図２に示した実施例と同様の構成であり、ここでは対応する構成に同一の符号を付することで説明を省略する。なお、図６に示す実施態様では、保持具３の背板部３１は上方へ大きく突出した形態であるので、背板部３１は上下２箇所でアンカーボルト８により外壁の下地ｗ上に固定されている。
【００３９】
また、図６に示す実施態様では、上部カバー５の前端部は庇板２の後端部上にねじ止めされているが、必ずしもねじ止めする必要はなく、図７に示す実施態様のように、庇板２の後端部上に支持されるだけであってもよい。
さらに、保持具３や庇板２も、上記した実施態様に限定されるものではなく、種々の態様のものを採択し得る。
【００４０】
上記した構成の庇１を組み立てるには、建物の外壁の下地ｗに保持具３を複数本のアンカーボルト８により水平に取り付ける。次に、図４に示されるように、保持具３の上下の保持板部３２，３３間の溝３４内へ庇板２を構成する側板材２２および中間板材２１の後端部を順次差し込み、上側の保持板部３２のボルト通し孔３６よりボルト９を挿入して庇板２のボルト貫通孔２７および下側の保持板部３３のボルト通し孔３７を通し、ボルト９に対してナット９２を締め付け固定する。
【００４１】
ボルト９に対するナット９２の締め付けによって、帯板状のシール材７が上側の保持板部３２の凹溝３８の溝底と庇板２の後端部の上面とに密接し、上側の保持板部３２と庇板２の後端部との間がシール材７により庇板２の全幅にわたり止水される。
【００４２】
その後、保持具３上に上部カバー５を被せ、また、保持具３の下方から下部カバー６を被せる。下部カバー６は前端部および後端部を保持具３に係合させて取り付けられる。上部カバー５は、第１の固定部５１の前縁部５３を庇板２の後端部の上面に突き当ててねじ５４によりねじ止めし、第２の固定部５２の後縁部５７を建物の外壁の下地ｗ上に重ねてねじ５８によりねじ止めする。
【００４３】
その後、建物の外壁の下地ｗを外壁材Ｘで覆った後、外壁材Ｘの下端面と上部カバー５の第２の傾斜部５０ｂ上との間の隙間ｓにコーキングガンなどを用いてコーキング材５９ｂを充填する。隙間ｓは前面が開放されているので、隙間ｓへのコーキング材５９ｂの充填作業、さらには、劣化後のコーキング材５９ｂの補修作業は前方からの作業となり効率よく行える。
【００４４】
また、コーキング材５９ｂが劣化しても、第２の固定部５２の後縁部５７がコーキング材５９ｂより高い位置にあるので、上部カバー５の後端部より雨水が上部カバー５の内部に侵入することがない。
【００４５】
保持具３および上部カバー５は、外壁材Ｘに半ば埋もれた状態となるので、保持具３や上部カバー５が外壁材Ｘの表面ｕから大きく出っ張らず、見栄えのよい庇となる。
【００４６】
図６および図７の実施態様においては、上部カバー５の第１カバー部５Ａと第２カバー部５Ｂとが接続部５Ｃにおいて分離可能であるので、庇板２を修理したり交換したりする場合、接続部５Ｃを分離して第１カバー部５Ａを取り外せば、外壁材Ｘを剥離することなく、庇板２の保持具３からの取り外しが可能である。
【符号の説明】
【００４７】
１    庇
２    庇板
３    保持具
５    上部カバー
５Ａ  第１カバー部
５Ｂ  第２カバー部
５Ｃ  接続部
５０ａ  傾斜部
５０ｅ  凹溝
５７  後縁部
５８  ねじ
５９ｂ  コーキング材
ｗ    下地
Ｘ    外壁材
【図１】
2019210613.tif 000003
【図２】
2019210613.tif 000004
【図３】
2019210613.tif 000005
【図４】
2019210613.tif 000006
【図５】
2019210613.tif 000007
【図６】
2019210613.tif 000008
【図７】
2019210613.tif 000009
【図８】
2019210613.tif 000010